(57)【要約】【課題】比較的簡単な構成をもって小型化することが可能な多極同軸コネクタを得る。【解決手段】プラグ２側に設けられる信号ポスト５とグラウンドポスト６とをそれぞれ１枚の金属板で形成し、信号ポスト５とグラウンドポスト６とを絶縁ブロック７を挟んで上下方向に対向配置する。そして、レセプタクル３側に設けられる信号コンタクト８とグラウンドコンタクト９とをそれぞれ１枚の金属板で形成し、信号コンタクト８とグラウンドコンタクト９とを、対向配置した信号ポスト５とグラウンドポスト６の外側を弾発力をもって挟み込むように対向配置する。信号ポスト５およびグラウンドポスト６ならびに信号コンタクト８およびグラウンドコンタクト９を、並列配置方向に重畳させて配置せずに済む分、並列配置されるピッチを小さくできる。【選択図】図５
2008270107.tif 000002
【特許請求の範囲】
【請求項１】
同軸ケーブルの信号線となる内部導体に接続される信号ポストと、当該同軸ケーブルのアース線となる外部導体に接続されるグラウンドポストと、を有し、それら信号ポストとグラウンドポストの組み合わせが複数並列配置されたプラグと、
前記信号ポストに対応する信号コンタクトと、前記グラウンドポストに対応するグラウンドコンタクトと、を有し、それら信号コンタクトとグラウンドコンタクトの組み合わせが複数並列配置されたレセプタクルと、を備え、
前記プラグと前記レセプタクルとを結合することにより、それぞれ対応する信号ポストと信号コンタクトとが相互に接触して導通されるとともに、それぞれ対応するグラウンドポストとグラウンドコンタクトとが相互に接触して導通される多極同軸コネクタにおいて、
前記信号ポストと前記グラウンドポストとをそれぞれ１枚の導電板で形成し、それら信号ポストとグラウンドポストとが、絶縁ブロックを挟んでそれぞれの並列配置方向に対して直角方向に対向配置され、かつ、
前記信号コンタクトと前記グラウンドコンタクトとをそれぞれ１枚の導電板で形成し、それら信号コンタクトとグラウンドコンタクトとが、前記対向配置した信号ポストとグラウンドポストの外側を弾発力をもって挟み込むように対向配置されたことを特徴とする多極同軸コネクタ。
【請求項２】
前記グラウンドポストと前記同軸ケーブルの外部導体とを繋ぐ連結部が、当該同軸ケーブルに対してその並列配置方向に対する直角方向の一方側に配置されたことを特徴とする請求項１に記載の多極同軸コネクタ。
【請求項３】
前記連結部の両側辺からその長さ方向にずれた位置に片持ち状の複数の加締め片が突設され、それら加締め片で上記絶縁ブロックの長さ方向にずれた複数箇所が加締め固定されるとともに、絶縁ブロックには加締め片の配置部分に該加締め片を収納する凹部が形成されることを特徴とする請求項２に記載の多極同軸コネクタ。
【請求項４】
前記同軸ケーブル、前記信号ポスト、前記グラウンドポスト、および前記絶縁ブロックを備えてケーブルユニットが構成され、互いに隣接されるケーブルユニットが、それらを並列配置した方向に対して直角方向に所定量ずれて千鳥状に配置されることを特徴とする請求項１〜３のうちいずれか１つに記載の多極同軸コネクタ。
【請求項５】
相互に隣接する２つの前記ケーブルユニットについて、各グラウンドポストが、前記直角方向の他方のケーブルユニットから離間した側に配置されるとともに、前記信号ポストおよび前記グラウンドポストが配置される先端部の中心が、同一高さに設定されたことを特徴とする請求項４に記載の多極同軸コネクタ。
【請求項６】
前記連結部は、同軸ケーブルの外部導体に半田付けされる接続部を有し、その接続部に透孔または溝が形成されることを特徴とする請求項２〜５のうちいずれか１つに記載の多極同軸コネクタ。
【発明の詳細な説明】
【技術分野】
【０００１】
本発明は、同軸ケーブルが複数並列配置される多極同軸コネクタに関する。
【背景技術】
【０００２】
従来の多極同軸コネクタとして、例えば、特許文献１に示すように、同軸ケーブルを基板接続用の端子に接続するものが知られている。すなわち、多極同軸コネクタは着脱自在に嵌合されるプラグとレセプタクルとを備え、それらプラグおよびレセプタクルを嵌合して結合することにより、プラグ側の信号芯線（プラグ信号芯線）とレセプタクル側の信号芯線（レセプタクル信号芯線）とを導通させるとともに、プラグ側の芯線用シールド（プラグ芯線用シールド）とレセプタクル側の芯線用シールド（レセプタクル芯線用シールド）とを導通させるようになっている。
【０００３】
このとき、上記プラグ信号芯線はピン状に形成されるとともに、上記レセプタクル信号芯線には、そのピン状のプラグ信号芯線の外側を弾発力をもって両側から挟み込むように一対の接触片が設けられて、それら接触片によって良好な接触状態が得られるようになっている。
【０００４】
また、上記プラグ芯線用シールドは、上記プラグ信号芯線を囲繞するように筒状に形成されるとともに、上記レセプタクル芯線用シールドには、上記レセプタクル信号芯線と同様に上記筒状のプラグ芯線用シールドの外側を弾発力をもって両側から挟み込むように一対の接触片が設けられて、良好な接触状態が得られるようになっている。
【特許文献１】特開２００４−３５５９３２号公報
【発明の開示】
【発明が解決しようとする課題】
【０００５】
しかしながら、上記特許文献１に開示される従来の多極同軸コネクタにあっては、レセプタクル信号芯線の一対の接触片とレセプタクル芯線用シールドの一対の接触片とは、それぞれの挟み込み方向が同一方向となっている。
【０００６】
このため、レセプタクル信号芯線の一対の接触片に持たせる開閉余裕代と、レセプタクル芯線用シールドの一対の接触片に持たせる開閉余裕代とが同じ方向に重なってしまい、結果的にプラグ側とレセプタクル側の双方の結合部分の幅が大きくなって、多極同軸コネクタの大型化が来されてしまうという問題があった。
【０００７】
特に、複数の同軸ケーブルが並設される多極化された多極同軸コネクタでは、上記結合部分の増加幅が並設方向に累積されるため、多極同軸コネクタの更なる大型化が余儀なくされてしまう。
【０００８】
そこで、本発明は、比較的簡単な構成をもって小型化することが可能な多極同軸コネクタを得ることを目的とする。
【課題を解決するための手段】
【０００９】
請求項１の発明にあっては、同軸ケーブルの信号線となる内部導体に接続される信号ポストと、当該同軸ケーブルのアース線となる外部導体に接続されるグラウンドポストと、を有し、それら信号ポストとグラウンドポストの組み合わせが複数並列配置されたプラグと、上記信号ポストに対応する信号コンタクトと、上記グラウンドポストに対応するグラウンドコンタクトと、を有し、それら信号コンタクトとグラウンドコンタクトの組み合わせが複数並列配置されたレセプタクルと、を備え、上記プラグと上記レセプタクルとを結合することにより、それぞれ対応する信号ポストと信号コンタクトとが相互に接触して導通されるとともに、それぞれ対応するグラウンドポストとグラウンドコンタクトとが相互に接触して導通される多極同軸コネクタにおいて、上記信号ポストと上記グラウンドポストとをそれぞれ１枚の導電板で形成し、それら信号ポストとグラウンドポストとが、絶縁ブロックを挟んでそれぞれの並列配置方向に対して直角方向に対向配置され、かつ、上記信号コンタクトと上記グラウンドコンタクトとをそれぞれ１枚の導電板で形成し、それら信号コンタクトとグラウンドコンタクトとが、上記対向配置した信号ポストとグラウンドポストの外側を弾発力をもって挟み込むように対向配置されたことを特徴とする。
【００１０】
請求項２の発明にあっては、上記グラウンドポストと上記同軸ケーブルの外部導体とを繋ぐ連結部が、当該同軸ケーブルに対してその並列配置方向に対する直角方向の一方側に配置されたことを特徴とする。
【００１１】
請求項３の発明にあっては、上記連結部の両側辺からその長さ方向にずれた位置に片持ち状の複数の加締め片が突設され、それら加締め片で上記絶縁ブロックの長さ方向にずれた複数箇所が加締め固定されるとともに、絶縁ブロックには加締め片の配置部分に該加締め片を収納する凹部が形成されることを特徴とする。
【００１２】
請求項４の発明にあっては、上記同軸ケーブル、上記信号ポスト、上記グラウンドポスト、および上記絶縁ブロックを備えてケーブルユニットが構成され、互いに隣接されるケーブルユニットが、それらを並列配置した方向に対して直角方向に所定量ずれて千鳥状に配置されることを特徴とする。
【００１３】
請求項５の発明にあっては、相互に隣接する２つの上記ケーブルユニットについて、各グラウンドポストが、上記直角方向の他方のケーブルユニットから離間した側に配置されるとともに、上記信号ポストおよび上記グラウンドポストが配置される先端部の中心が、同一高さに設定されたことを特徴とする。
【００１４】
請求項６の発明にあっては、上記連結部は、同軸ケーブルの外部導体に半田付けされる接続部を有し、その接続部に透孔または溝が形成されることを特徴とする。
【発明の効果】
【００１５】
請求項１の発明によれば、それぞれ１枚の導電板で形成した信号ポストとグラウンドポストとを、絶縁ブロックを挟んでそれぞれの並列配置方向に対して直角方向に対向配置し、かつ、それら信号ポストとグラウンドポストの外側を弾発力をもって挟み込むように、それぞれ１枚の導電板で形成した信号コンタクトとグラウンドコンタクトとを対向配置したので、信号ポストとグラウンドポストならびに信号コンタクトとグラウンドコンタクトを、それぞれ上記並列配置方向に対して直角となる方向に対向配置させて、並列配置方向に重畳させて配置せずに済む分、並列配置されるピッチを小さくできるようになり、多極同軸コネクタの上記並列配置方向の幅を狭くして小型化を達成することができる。
【００１６】
また、対向配置した上記信号ポストと上記グラウンドポストを、それらと同一方向に対向配置した上記信号コンタクトと上記グラウンドコンタクトによって弾発力をもって挟み込むようにしたので、それら信号ポストと信号コンタクトならびにグラウンドポストとグラウンドコンタクトとの接触圧力を個体間で略一定に維持し易くなり、それらの接触信頼性を向上することができる。
【００１７】
請求項２の発明によれば、上記グラウンドポストと上記同軸ケーブルの外部導体とを繋ぐ連結部を、当該同軸ケーブルに対してその並列配置方向に対する直角方向の一方側に配置したので、上記連結部を同軸ケーブルの並列配置方向に配置せずに済む分、並列配置方向のピッチを小さくできるようになり、多極同軸コネクタの上記並列配置方向の幅を狭くして小型化を達成することができる。
【００１８】
請求項３の発明によれば、連結部の両側辺からその長さ方向にずれた位置に突設された複数の加締め片で、絶縁ブロックの当該長さ方向にずれた複数箇所が加締め固定され、かつ、それら加締め片は絶縁ブロックに形成した凹部に収納されるので、絶縁ブロックと連結部とを固定する際に絶縁ブロックの両側に加締め片が存在する部分を無くすことができ、その分、並列配置方向のピッチを小さくできるようになり、多極同軸コネクタの上記並列配置方向の幅を狭くして小型化を達成することができる。
【００１９】
請求項４の発明によれば、互いに隣接されるケーブルユニットを千鳥状に配置した分、ケーブルユニットを一列に揃えて並べた場合に比べて、並列配置方向のピッチを小さくできるようになり、多極同軸コネクタの上記並列配置方向の幅を狭くして小型化を達成することができる。
【００２０】
請求項５の発明によれば、相互に隣接するケーブルユニットのグラウンドポスト同士が上記直角方向に離間配置されて、上記並列配置方向に隣接しなくなる分、各グラウンドポストの並列配置方向両側に絶縁領域を確保しやすくなって、ケーブルユニットのピッチをより小さく設定することができる。
【００２１】
さらに、ケーブルユニットの上記先端部の中心が同一高さに設定されるため、相互に隣接する信号ポストとグラウンドポストとでそれぞれの高さを等しくでき、以て、互いに隣接するケーブルユニットについて信号コンタクトあるいはグラウンドコンタクトとして用いる端子部品の共用化を図ることができ、組立作業性の向上と相俟って製造コストの抑制に資する。
【００２２】
請求項６の発明によれば、上記連結部の接続部を同軸ケーブルの外部導体に半田付けする際に、その接続部に形成した透孔または溝に溶融した半田を溜めることができるので、より安定した半田付けが可能となる。
【発明を実施するための最良の形態】
【００２３】
以下、本発明の好適な実施形態について図面を参照しながら詳細に説明する。
【００２４】
（第１実施形態）図１〜図１１は本発明の第１実施形態にかかる多極同軸コネクタを示す。なお、本実施形態では、複数の同軸ケーブルが共通部分としてのプラグハウジングに接続されたプラグと、基板に固定されたレセプタクルとが相互に嵌合して接続される、多極化された多極同軸コネクタについて例示する。また、以下の説明では、便宜上、プラグハウジングに対する同軸ケーブルの挿入方向手前側を前方、挿入方向奥側（先側）を後方とする。
【００２５】
図１は、プラグとレセプタクルとを分離した多極同軸コネクタの全体斜視図、図２は、１つのケーブルユニットを示す斜視図、図３は、図１中Ａ方向から見たプラグの要部拡大端面図である。
【００２６】
多極同軸コネクタ１は、図１に示すように、抜き差し可能に嵌着されるプラグ２とレセプタクル３とを備えて構成される。
【００２７】
プラグ２には、図３に示すように、複数の同軸ケーブル４が並列配置され、各同軸ケーブル４には、図２に示すように、信号線となる内部導体４１に信号ポスト５が接続されるとともに、アース線となる外部導体４２にグラウンドポスト６が接続され、それら信号ポスト５とグラウンドポスト６とが絶縁ブロック７に取り付けられることによりケーブルユニットＣＵが構成される。
【００２８】
同軸ケーブル４は、一般に知られるように、不平衡な電気信号を伝送するための特性インピーダンスが規定された電線であって、本実施形態では、図２に示すように、導体からなる線材としての内部導体４１と、当該内部導体４１の外周を被覆する絶縁体４３と、当該絶縁体４３の外周を被覆する外部導体４２と、さらに最外層の保護被膜としてのシース４４とを備え、略円形断面を有する可撓性のケーブルとして構成されている。
【００２９】
プラグ２では、図１に示すように、プラグハウジング２１にケーブルユニットＣＵが複数並列配置されている。
【００３０】
一方、レセプタクル３では、シェル３１に、信号ポスト５に対応する信号コンタクト８と、グラウンドポスト６に対応するグラウンドコンタクト９との複数の組み合わせが、一列に並べて取り付けられている。
【００３１】
プラグ２とレセプタクル３とを差し込んで結合すると、それぞれ対応する信号ポスト５と信号コンタクト８とが相互に接触して導通されるとともに、それぞれ対応するグラウンドポスト６とグラウンドコンタクト９とが相互に接触して導通されるようになっている。。
【００３２】
図４は、レセプタクルを前方から見た斜視図である。この図４に示すように、レセプタクル３の前部には複数のケーブルユニットＣＵの先端部を個々に挿入する複数の挿入穴３２が形成されており、それら挿入穴３２内に信号コンタクト８とグラウンドコンタクト９とが配置されている。
【００３３】
図５は、ケーブルユニットとコンタクトとを分離した状態を示す正面図、図６は、ケーブルユニットの先端部がコンタクトと対向した状態を示す分解斜視図である。これら図５，図６および図２に示すように、本実施形態では、信号ポスト５とグラウンドポスト６とをそれぞれ１枚の導電板としての金属板で形成し、それら信号ポスト５とグラウンドポスト６とが絶縁ブロック７を挟んでそれぞれの並列配置方向に対して直角方向、つまり、本実施形態では上下方向に対向配置されている。
【００３４】
すなわち、絶縁ブロック７は、図２に示すように、略直方体状の本体部分７１と、この本体部分７１の後端部から上・下段部７２ａ，７２ｂを設けて突出する幅狭の先端部分７２と、を合成樹脂により一体成形することによって得られる。信号ポスト５は絶縁ブロック７の先端部分７２の上側に配置されるとともに、グラウンドポスト６は当該先端部分７２の下側に配置される。
【００３５】
また、信号ポスト５は、図１，図５に示すように、絶縁ブロック７の先端部分７２に配置された上段部７２ａの前端（図５中左端）から絶縁ブロック７の内部に埋設されて前方（図中左方）に向かって延在し、その埋設部分５１の前端部が絶縁ブロック７の本体部分７１の前端７１ａの中心部から突出して、その突出部分が同軸ケーブル４の内部導体４１との接続部５２となり、この接続部５２の上面に内部導体４１が半田付けされる。この半田付け際には、接続部５２の上面に内部導体４１を嵌合して溶融半田を溜める溝部が形成されていることが好ましい。
【００３６】
ここで、本実施形態では、図５，図６に示すように、信号コンタクト８およびグラウンドコンタクト９は、それぞれ１枚の導電板としての金属板で形成されており、これら信号コンタクト８およびグラウンドコンタクト９は、対向配置された信号ポスト５およびグラウンドポスト６の外側を弾発力をもって挟み込むように対向配置されている。
【００３７】
また、信号コンタクト８の信号ポスト５に接触される部分から後端部は、下方に折曲されて、その先端部に図示省略した基板のプリント導電部に半田付けされる信号端子８１が形成される。一方、グラウンドコンタクト９のグラウンドポスト６に接触される部分から後端部は、下方に折曲されて、その先端部に基板のプリント導電部に半田付けされるグラウンド端子９１が形成される。
【００３８】
信号コンタクト８およびグラウンドコンタクト９は、図１，図４に示すように、それぞれの後端部８２，９２がレセプタクル３の挿入穴３２の上側と下側に圧入固定されて、それぞれの先端部８３，９３に互いに近接する方向の弾発力が付与されている。この挿入穴３２にケーブルユニットＣＵの先端部、つまり、絶縁ブロック７の先端部分７２が差し込まれると、信号コンタクト８の先端部８３が信号ポスト５の上面に弾発力をもって接触されるとともに、グラウンドコンタクト９の先端部９３がグラウンドポスト６の下面に弾発力をもって接触されるようになっている。
【００３９】
図７は、グラウンドポストと絶縁ブロックとの結合状態を示す斜視図、図８は、図７のＢ−Ｂ断面図、図９は、図７のＣ−Ｃ断面図である。図７に示すように、グラウンドポスト６と同軸ケーブル４の外部導体４２とは、グラウンドポスト６を前方に延設した連結部６１によって繋がっており、その連結部６１は絶縁ブロック７に対してその並列配置方向に対して直角方向の一方側、つまり、本実施形態では絶縁ブロック７の下側に配置されている。
【００４０】
そして、連結部６１の両側辺からその長さ方向にずらして片持ち状に一対の加締め片６２，６３が突設され、図８に示すように、それら加締め片６２，６３で絶縁ブロック７の長さ方向にずれた２箇所（Ｋ１，Ｋ２）が加締め固定されるようになっている。また、絶縁ブロック７における加締め片６２，６３の配置部分（Ｋ１，Ｋ２）には、該加締め片６２，６３を収納する凹部７３，７４が形成されている。
【００４１】
加締め片６２，６３は、例えば、図９によって前方の配置部分Ｋ１を示すように、絶縁ブロック７の本体部分７１の片側側面と上面とに加締められ、このとき、一対の加締め片６２，６３によって本体部分７１の反対側面が固定されて、絶縁ブロック７と連結部６１とが強固に固定される。
【００４２】
なお、図８に示すように、絶縁ブロック７の本体部分７１に埋設された信号ポスト５の埋設部分５１については、加締め片６２，６３を収納する凹部７３，７４に対応する部分に切欠部５１ａ，５１ｂが形成されて、加締め片６２，６３と埋設部分５１との間に十分な幅の絶縁部分が確保されるようになっている。
【００４３】
図１０は、複数の同軸ケーブルが並列配置された状態を示す斜視図、図１１は、複数の同軸ケーブルが並列配置された状態を底面から見た斜視図である。
【００４４】
図２，図５，図１０，図１１に示すように、連結部６１の前端部には、同軸ケーブル４の外部導体４２に半田付けされる接続部６４が設けられており、その接続部６４には長さ方向に沿って複数の透孔６４ａが形成されている。
【００４５】
したがって、接続部６４を外部導体４２に半田付けする際には、溶融した半田が透孔６４ａに溜まるため、ロー付けするための半田の必要量を付着させることができる。なお、透孔６４ａに代えて、接続部６４の外部導体４２が接触する面に溝を形成してもよい。
【００４６】
ところで、接続部６４が接続部６４に連なる前端部には、下方に向かって前方部分が切り起こされる係止爪６５が設けられ、ケーブルユニットＣＵをプラグハウジング２１に差し込んだ際に、係止爪６５が、図１に示すように、プラグハウジング２１の下面に形成された係止穴２２に係止されることにより、ケーブルユニットＣＵが容易に抜けないようになっている。また、係止爪６５と係止穴２２との係止状態を解除することにより、ケーブルユニットＣＵの交換が可能である。
【００４７】
以上の構成により本実施形態の多極同軸コネクタ１によれば、それぞれ１枚の金属板で形成した信号ポスト５とグラウンドポスト６とを、絶縁ブロック７を挟んでそれぞれ上下方向に対向配置し、かつ、それぞれ１枚の金属板で形成した信号コンタクト８とグラウンドコンタクト９とによって、信号ポスト５とグラウンドポスト６の外側を弾発力をもって挟み込むようにしたので、信号ポスト５とグラウンドポスト６および信号コンタクト８とグラウンドコンタクト９を、それぞれケーブルユニットＣＵの並列配置方向に対して直角となる上下方向に対向配置できる。
【００４８】
このため、信号ポスト５とグラウンドポスト６ならびに信号コンタクト８とグラウンドコンタクト９を、それぞれ上記並列配置方向に対して直角となる方向に対向配置させて、並列配置方向に重畳させて配置せずに済む分、並列配置されるピッチを小さくできるようになり、多極同軸コネクタ１の上記並列配置方向の幅Ｗ（図１参照）を狭くして小型化を達成することができる。
【００４９】
また、対向配置した信号ポスト５とグラウンドポスト６を、それらと同一方向に対向配置した信号コンタクト８とグラウンドコンタクト９によって弾発力をもって挟み込むようにしたので、それら信号ポスト５と信号コンタクト８ならびにグラウンドポスト６とグラウンドコンタクト９との接触圧力を個体間で略一定に維持し易くなり、それらの接触信頼性を向上することができる。
【００５０】
さらに、グラウンドポスト６と同軸ケーブル４の外部導体４２とを繋ぐ連結部６１を、同軸ケーブル４に対してその並列配置方向に対する直角方向の一方側（下側）に配置したので、連結部６１を同軸ケーブル４の並列配置方向に配置せずに済む分、並列配置方向のピッチを小さくできるようになり、多極同軸コネクタ１の幅Ｗを狭くして小型化を達成することができる。
【００５１】
さらにまた、連結部６１の両側辺からその長さ方向にずれた位置に突設された片持ち状の一対の加締め片６２，６３で、絶縁ブロック７の長さ方向にずれた２箇所（Ｋ１，Ｋ２）が加締め固定され、かつ、それら加締め片６２，６３が絶縁ブロック７に形成した凹部７３，７４に収納されるようにしたため、絶縁ブロック７と連結部６１とを固定する際に絶縁ブロック７の両側に加締め片が存在する部分を無くすことができ、その分、絶縁ブロック７や信号ポスト５の幅を所要量確保しながら、並列配置方向のピッチを小さくできるようになり、多極同軸コネクタ１の並列配置方向の幅Ｗを狭くして小型化を達成することができる。
【００５２】
また、本実施形態では連結部６１の前端部に同軸ケーブル４の外部導体４２に半田付けする接続部６４が設けられ、その接続部６４に複数の透孔６４ａを形成したため、接続部６４を外部導体４２に半田付けする際に透孔６４ａに溶融した半田を溜めることができ、より安定した半田付けが可能となる。
【００５３】
（第２実施形態）図１２〜図１４は本発明の第２実施形態を示す。なお、本実施形態にかかる多極同軸コネクタ１Ａは、上記第１実施形態にかかる多極同軸コネクタ１と同様の構成要素を備えている。よって、それら同様の構成要素には共通の符号を付与するとともに、重複する説明を省略する。
【００５４】
図１２は、プラグとレセプタクルとを分離した多極同軸コネクタの斜視図、図１３は、図１２中Ｄ方向から見たプラグの要部拡大端面図である。図１２に示すように、本実施形態の多極同軸コネクタ１Ａは、基本的に第１実施形態と同様にプラグ２とレセプタクル３とを備えて構成され、同軸ケーブル４、信号ポスト５、グラウンドポスト６および絶縁ブロック７を備えて構成されるケーブルユニットＣＵが複数並列配置されており、本実施形態が第１実施形態と主に異なる点は、図１３に示すように、互いに隣接されるケーブルユニットＣＵが、それらを並列配置した方向に対して直角方向（本実施形態では上下方向）に所定量ずれて、千鳥状に配置されている。
【００５５】
また、本実施形態では、相互に隣接する２つのケーブルユニットＣＵについて、各グラウンドポスト６が、上記直角方向の他方のケーブルユニットＣＵから離間した側に配置されるようになっている。すなわち、相互に隣接する２つのケーブルユニットＣＵは、上下方向に反転した姿勢となっている。このとき、図１２に示すように、反転されたケーブルユニットＣＵに設けられる係止爪６５を係止する係止穴２２は、プラグハウジング２１の上面に形成されている。
【００５６】
図１４（ａ）は、図１３のＥ−Ｅ断面図、図１４（ｂ）は、図１３のＦ−Ｆ断面図である。これら図１４（ａ），（ｂ）に示すように、上下方向に対称となるように千鳥状に配置された各ケーブルユニットＣＵについて、信号ポスト５およびグラウンドポスト６が配置される先端部Ｔの中心Ｃが、隣接されるケーブルユニットＣＵと相互に同一高さとなるように各ケーブルユニットＣＵを並列配置方向に整列させてある。
【００５７】
したがって、本実施形態の多極同軸コネクタ１Ａによれば、互いに隣接されるケーブルユニットＣＵを千鳥状に配置した分、ケーブルユニットＣＵを一列に揃えて並べた場合に比べて、並列配置方向のピッチを小さくできるようになり、多極同軸コネクタ１Ａの並列配置方向の幅を狭くして小型化を達成することができる。
【００５８】
また、相互に隣接するケーブルユニットＣＵのグラウンドポスト６同士が直角方向に離間配置されて、並列配置方向に隣接しなくなる分、各グラウンドポスト６の並列配置方向両側に絶縁領域を確保しやすくなって、ケーブルユニットＣＵのピッチをより小さく設定することができる。
【００５９】
さらに、ケーブルユニットＣＵの先端部Ｔの中心が同一高さに設定されるため、相互に隣接する信号ポスト５とグラウンドポスト６とでそれぞれの高さを等しくでき、以て、互いに隣接するケーブルユニットＣＵについて信号ポスト５あるいはグラウンドポスト６として用いる端子部品の共用化を図ることができ、組立作業性の向上と相俟って製造コストの抑制に資する。
【００６０】
つまり、図１２に示すように、レセプタクル３には、背の高いコンタクトＣＨと背の低いコンタクトＣＬとの２種類が設けられるが、並列された背の高いコンタクトＣＨは信号コンタクト８とグラウンドコンタクト９として交互に用いられるとともに、並列された背の低いコンタクトＣＬはグラウンドコンタクト９と信号コンタクト８として交互に用いられている。また、この場合、信号端子８１とグラウンド端子９１とは、同じものが２つづつ隣接して、その２つづつ隣接したものが交互に配置されている。
【００６１】
ところで、第２実施形態では高さの異なる２種類のコンタクトＣＨおよびＣＬで信号コンタクト８およびグラウンドコンタクト９を交互に形成したことにより、図１２に示すように、信号端子８１とグラウンド端子９１とは、同じものが２つづつ隣接して、その隣接する２つづつが交互に配置されることになる。これに対し、図１５に示すように、４種類のコンタクトＣ１〜Ｃ４を用いることにより信号端子８１とグラウンド端子９１とを交互に配置することも可能である。このように信号側の端子８１とアース側の端子９１とを交互に配置するようにすれば、信号の相互干渉が抑制されて耐ノイズ性を向上することができる。
【００６２】
この場合、背の高い２種類のコンタクトＣ２，Ｃ４と、背の低い２種類のコンタクトＣ１，Ｃ３とによって構成されるが、図１６（ａ）に示すように、プレス加工による打抜きおよび折曲により、フープ１００にコンタクトＣ１とＣ３を形成する一方、図１６（ｂ）に示すように、同様にプレス加工によりフープ１０１にコンタクトＣ１とＣ３を形成し、それらコンタクトＣ２，Ｃ４およびコンタクトＣ１，Ｃ３をフープ１００，１０１に連結した状態でレセプタクル３に組み付けた後、フープ１００，１０１を分離する組付方法により、作業工数を削減することができる。
【００６３】
以上、本発明の好適な実施形態について説明したが、本発明は上記実施形態には限定されず、種々の変形が可能である。例えば、信号ポスト５、グラウンドポスト６、信号コンタクト８、グラウンドコンタクト９および絶縁ブロック７は、各実施形態に限ることなく目的に応じたその他の形状として得ることができ、また、多極同軸コネクタ１，１Ａのプラグ２やレセプタクル３は、それらの形状や構造に限ることは無く、内部の導通部材を保持および保護して相互に着脱できる構造であればよい。
【図面の簡単な説明】
【００６４】
【図１】本発明の第１実施形態にかかる多極同軸コネクタのプラグとレセプタクルとが分離された状態での斜視図である。
【図２】本発明の第１実施形態にかかる多極同軸コネクタに含まれる１つのケーブルユニットを示す斜視図である。
【図３】本発明の第１実施形態にかかる多極同軸コネクタのプラグを図１中Ａ方向から見た要部拡大端面図である。
【図４】本発明の第１実施形態にかかる多極同軸コネクタのレセプタクルを前方から見た斜視図である。
【図５】本発明の第１実施形態にかかる多極同軸コネクタのケーブルユニットとコンタクトとを分離した状態を示す正面図である。
【図６】本発明の第１実施形態にかかる多極同軸コネクタのケーブルユニットの先端部がコンタクトと対向した状態を示す分解斜視図である。
【図７】本発明の第１実施形態にかかる多極同軸コネクタのグラウンドポストと絶縁ブロックとの結合状態を示す斜視図である。
【図８】図７のＢ−Ｂ断面図である。
【図９】図７のＣ−Ｃ断面図である。
【図１０】本発明の第１実施形態にかかる多極同軸コネクタの複数の同軸ケーブルが並列配置された状態を示す斜視図である。
【図１１】本発明の第１実施形態にかかる多極同軸コネクタの複数の同軸ケーブルが並列配置された状態を底面から見た斜視図である。
【図１２】本発明の第２実施形態にかかる多極同軸コネクタのプラグとレセプタクルとが分離された状態での斜視図である。
【図１３】本発明の第２実施形態にかかる多極同軸コネクタのプラグを図１２中Ｄ方向から見た要部拡大端面図である。
【図１４】本発明の第２実施形態にかかる多極同軸コネクタの断面図であって、（ａ）は、図１３のＥ−Ｅ断面図、（ｂ）は、図１３のＦ−Ｆ断面図である。
【図１５】本発明の他の実施形態にかかる多極同軸コネクタのレセプタクルの背面斜視図である。
【図１６】本発明の他の実施形態にかかる多極同軸コネクタに用いられる４種類のコンタクトの形成工程を示す斜視図である。
【符号の説明】
【００６５】
１，１Ａ  多極同軸コネクタ
２  プラグ
３  レセプタクル
４  同軸ケーブル
４１  内部導体
４２  外部導体
５  信号ポスト
６  グラウンドポスト
６１  連結部
６２，６３  加締め片
６４  接続部
６４ａ  透孔
７  絶縁ブロック
７３，７４  凹部
８  信号コンタクト
９  グラウンドコンタクト
ＣＵ  ケーブルユニット
Ｔ  （ケーブルユニットの）先端部
Ｃ  先端部の中心
【図１】
2008270107.tif 000003
【図２】
2008270107.tif 000004
【図３】
2008270107.tif 000005
【図４】
2008270107.tif 000006
【図５】
2008270107.tif 000007
【図６】
2008270107.tif 000008
【図７】
2008270107.tif 000009
【図８】
2008270107.tif 000010
【図９】
2008270107.tif 000011
【図１０】
2008270107.tif 000012
【図１１】
2008270107.tif 000013
【図１２】
2008270107.tif 000014
【図１３】
2008270107.tif 000015
【図１４】
2008270107.tif 000016
【図１５】
2008270107.tif 000017
【図１６】
2008270107.tif 000018